(57)【要約】【課題】商店街、テレビ、ラジオ等で身の回りに流れている音楽について、携帯端末を用いて、曲名、アーティスト名等の音楽情報を検索することにある。【解決手段】ユーザ携帯端末１００を用いて身の回りの音楽を録音し、通信ネットワーク２００を介して録音した音楽データを音楽検索サーバ３００に問い合わせる。音楽検索サーバ３００は要求のあった音楽データを基にあらかじめデータベース４００に登録されている音楽特徴データと照合し、更にデータベース５００に登録された音楽情報を検索することで、ユーザが問い合わせた音楽の曲、アーティスト名、収録ＣＤ名などの情報を候補となる信頼度順に曲毎に抽出する。音楽検索サーバ３００の抽出した検索結果はユーザ携帯端末１００に送られ、ユーザは問い合わせた音楽の情報を得ることができる。更に、ユーザは検索結果から、該当する音楽の試聴、購入等のサービスを受けることができる。【選択図】図１
2008123546.tif 000002
【特許請求の範囲】
【請求項１】
携帯端末と、前記携帯端末と通信ネットワークを介して接続されるサーバーとを備え、
前記携帯端末は、
音楽データを送信する送信手段を有し、
前記サーバは、
前記音楽データを受信する受信手段と
前記音楽データに基づき音楽情報を検索する検索手段と、
前記検索手段により検索された音楽情報を前記携帯端末に送信する送信手段とを有する音楽検索システム。
【発明の詳細な説明】
【技術分野】
【０００１】
本発明は、携帯端末を用いた音楽検索システム、音楽検索方法、および購入方法に関し、特に、携帯端末で録音した音楽の情報を検索する携帯端末を用いた音楽検索システム、音楽検索方法、および販売方法に関する。
【背景技術】
【０００２】
従来、音楽購入の方法としては、各個人が雑誌、テレビ等で得た知識を基にして購入したり、レコード店での試聴によって、各個人好みの音楽にインターネットを介してアクセスして入手する方法およびレコード店の会員になり媒体を送ってもらう方法が主である。
【発明の開示】
【発明が解決しようとする課題】
【０００３】
しかしながら、従来の音楽購入方法は、各個人が音楽の情報を知りたい時にのみ、好みの音楽を探すことができるだけであり、普段何気なく歩いているときに流れてくる音楽のように、予期しないときに気に入った音楽が流れているとき、その音楽の曲名などの情報を知りたいと思っても容易に解決できない問題点が多い。
【０００４】
この問題点は、音楽の曲名などが音楽に含まれていない場合があること、歌詞を一度では覚えられないこと、歌詞を覚えてもすぐには検索できるサービスがないこと、メロディを覚えたとしても第３者に的確に伝えることが難しいこと等があげられる。この状況で音楽を特定するのに簡単な方法としては、音楽を録音することであるが、単に音楽を録音してレコード店に持っていっても、店員の記憶が様々であるという問題点や、ユーザが購入するか分からない音楽に対してレコード店まで足を運ぶ者はかなり少ないという問題点がある。
【０００５】
本発明の目的は、以上の問題点を解決するため、ユーザが身の回りで流れている気になった音楽でも容易にその音楽情報、音楽等を入手できることにある。
【課題を解決するための手段】
【０００６】
本発明の第１の視点において、
携帯端末と、前記携帯端末と通信ネットワークを介して接続されるサーバーとを備え、
前記携帯端末は、
音楽データを送信する送信手段を有し、
前記サーバは、
前記音楽データを受信する受信手段と
前記音楽データに基づき音楽情報を検索する検索手段と、
前記検索手段により検索された音楽情報を前記携帯端末に送信する送信手段とを有する音楽検索システムが提供される。
以下に、本発明により可能な展開形態を示す。
本発明の第１の携帯端末を用いた音楽検索システムは、携帯端末から通信ネットワークを介してサーバにアクセスする携帯端末を用いた音楽検索システムであって、前記サーバは、曲毎の音楽特徴データを登録した音楽検索データベースと、曲毎の音楽情報を登録した音楽情報データベースとを備え、前記携帯端末は、録音した音楽データを送信することによりその送信する音楽データの音楽情報を前記サーバに検索要求する要求手段を有し、前記サーバは、前記音楽データの音楽情報の検索要求を受信すると前記音楽データを基に音楽検索データベースと音楽情報データベースとを参照することにより候補となる曲の音楽情報を信頼度順に検索結果として作成しその作成した検索結果を前記携帯端末に返信する返信手段を有することを特徴としている。（形態１−１）
【０００７】
更に、上記の第１の携帯端末を用いた音楽検索システムにおいて、前記携帯端末は、前記検索結果を画面に表示しその表示した画面から曲名を選択させることによりその選択した曲名に関する音楽の試聴および購入を促す表示画面を表示する表示手段を有することを特徴としている。（形態１−２）
【０００８】
更に、上記の第１の携帯端末を用いた音楽検索システムにおいて、前記返信手段は、前記携帯端末から録音した音楽データを受信すると、前記録音した音楽データから音楽特徴を抽出してその抽出した音楽特徴を基に前記音楽検索データベースに登録されている音楽データに含まれる音楽特徴を検索することにより類似する信頼度を算出する手段と、前記算出した信頼度の高い順に曲名とその曲名に対応した音楽情報とを前記音楽情報データベースから検索して前記検索結果を作成する手段と、前記検索結果を前記携帯端末に送信する手段を有することを特徴としている。（形態１−３）
【０００９】
更に、上記の第１の携帯端末を用いた音楽検索システムにおいて、前記携帯端末は、前記表示画面に表示した前記音楽の試聴を促す項目が選択されると前記サーバから前記選択された曲名の試聴用の音楽データを受信することを特徴としている。（形態１−４）
【００１０】
また、本発明の第２の携帯端末を用いた音楽検索システムは、接続端末から通信ネットワークを介してサーバにアクセスする携帯端末を用いた音楽検索システムであって、前記サーバは、曲毎の音楽特徴データを登録した音楽検索データベースと、曲毎の音楽情報を登録した音楽情報データベースとを備え、前記接続端末は、携帯端末で音楽データを録音した記録メディアを取り付ける取付手段と、前記メディアに録音された音楽データを送信することによりその送信する音楽データの音楽情報を前記サーバに検索要求する要求手段を有し、前記サーバは、前記音楽データの音楽情報の検索要求を受信すると前記音楽データを基に音楽検索データベースと音楽情報データベースとを検索することにより候補となる曲の音楽情報を信頼度順に検索結果として作成しその作成した検索結果を前記接続端末に返信する返信手段を有することを特徴としている。（形態２−１）
【００１１】
更に、上記の第２の携帯端末を用いた音楽検索システムにおいて、前記接続端末は、前記検索結果を画面に表示しその表示した画面から曲名を選択させることによりその選択した曲名に関する音楽の試聴および購入を促す表示画面を表示する表示手段を有することを特徴としている。（形態２−２）
【００１２】
更に、上記の第２の携帯端末を用いた音楽検索システムにおいて、前記返信手段は、前記接続端末から録音した音楽データを受信すると、前記録音した音楽データから音楽特徴を抽出してその抽出した音楽特徴を基に前記音楽検索データベースに登録されている音楽データに含まれる音楽特徴を検索することにより類似する信頼度を算出する手段と、前記算出した信頼度の高い順に曲名とその曲名に対応した音楽情報とを前記音楽検索データベースから検索して前記検索結果を作成する手段と、前記検索結果を前記接続端末に送信する手段を有することを特徴としている。（形態２−３）
【００１３】
更に、上記の第２の携帯端末を用いた音楽検索システムにおいて、前記接続端末は、前記表示画面に表示した前記音楽の試聴を促す項目が選択されると前記サーバから前記選択された曲名の試聴用の音楽データを受信することを特徴としている。（形態２−４）
【００１４】
更に、上記の第２の携帯端末を用いた音楽検索システムにおいて、前記接続端末は、前記表示画面に表示した前記音楽の購入を促す項目が選択されると前記サーバから前記選択された曲名の購入情報を受信することを特徴としている。（形態２−５）
【００１５】
更に、上記の第１または第２の携帯端末を用いた音楽検索システムにおいて、前記音楽特徴は、リズムパターン、テンポパターン、メロディパターン、音高パターン、および音長パターンを含むことを特徴としている。（形態２−６）
【００１６】
また、本発明の第１の携帯端末を用いた音楽検索方法は、携帯端末から通信ネットワークを介してサーバにアクセスする携帯端末を用いた音楽検索方法であって、曲毎の音楽特徴データを登録した音楽検索データベースと曲毎の音楽情報を登録した音楽情報データベースとを前記サーバに準備し、前記携帯端末は、録音した音楽データを送信することによりその送信する音楽データの音楽情報を前記サーバに検索要求し、前記サーバは、前記音楽データを受信すると前記音楽データを基に予め登録された音楽特徴データを前記音楽検索データベースから検索することにより候補となる複数の曲名の音楽情報を信頼度順に抽出し、その抽出した前記候補となる曲の音楽情報を検索結果として前記携帯端末に返信することを特徴としている。（形態３−１）
【００１７】
更に、上記の第１の携帯端末を用いた音楽検索方法において、前記携帯端末は、前記検索結果を画面に表示し、その表示した画面から曲名を選択させることにより選択した曲名に関する音楽の試聴および購入を促す表示画面を表示することを特徴としている。（形態３−２）
【００１８】
また、本発明の第２の携帯端末を用いた音楽検索方法は、携帯端末から通信ネットワークを介してサーバにアクセスする携帯端末を用いた音楽検索方法であって、前記携帯端末は、音楽を録音し、前記サーバに接続して録音した音楽データの音楽情報の検索要求を行い、前記サーバから前記検索要求により受信した候補となる曲名毎の音楽情報を画面に表示し、前記画面に表示した前記曲名毎の音楽情報からある曲名を選択するとその選択した曲名の音楽情報を前記サーバから受信して前記画面に表示し、前記画面に表示した前記選択した曲名の音楽情報から試聴を促す項目を選択すると、前記サーバから前記選択した曲名の試聴用の音楽データを受信することを特徴としている。（形態４）
【００１９】
また、本発明の第１の携帯端末を用いた音楽購入方法は、携帯端末から通信ネットワークを介してサーバにアクセスする携帯端末を用いた音楽購入方法であって、前記携帯端末は、音楽を録音し、前記サーバに対して録音した音楽データに該当する曲毎の音楽情報の検索要求を行い、前記サーバから前記検索要求により受信した候補となる曲毎の音楽情報を画面に表示し、前記画面に表示した前記曲毎の音楽情報からある曲が選択されるとその選択された曲の音楽情報を前記サーバから受信して前記画面に表示し、前記画面に表示した前記選択された曲の音楽情報から購入を促す項目が選択されると前記サーバから前記選択した曲の購入情報を受信することを特徴としている。（形態５）
【００２０】
また、本発明の第３の携帯端末を用いた音楽検索方法は、携帯端末から通信ネットワークを介してサーバにアクセスする携帯端末を用いた音楽検索方法であって、前記サーバは、曲毎に音楽特徴を登録した音楽検索データベースと、曲毎に音楽情報を登録した音楽情報データベースとを準備し、前記携帯端末から録音した音楽データの音楽情報の検索要求を受信すると（前記携帯端末に録音した音楽データを送信させ）、前記録音した音楽データから音楽特徴を抽出してその抽出した音楽特徴を基に前記音楽検索データベースに登録されている音楽特徴を検索することにより類似する信頼度を算出し、前記算出した信頼度の高い順に曲とその曲に対応した音楽情報とを前記音楽検索データベースから検索し、前記検索した曲毎の音楽情報を前記携帯端末に送信することを特徴としている。（形態６−１）
【００２１】
更に、上記の第３の携帯端末を用いた音楽検索方法において、前記音楽検索は、リズムパターン、テンポパターン、メロディパターン、音高パターン、および音長パターンを含むことを特徴としている。（形態６−２）
【００２２】
また、本発明の第４の携帯端末を用いた音楽検索方法は、接続端末から通信ネットワークを介してサーバにアクセスする携帯端末を用いた音楽検索方法であって、曲毎の音楽特徴データを格納した音楽検索データベースと曲毎の音楽情報を格納した音楽情報データベースとを前記サーバに準備し、携帯端末と前記接続端末との両方に挿入するメディアを準備し、前記携帯端末は、音楽データを前記メディアに録音し、前記音楽データが録音された前記メディアが前記端末に挿入された場合に、前記接続端末は、前記メディアに録音された音楽データを前記サーバにアップロードすることによりその送信する音楽データの音楽情報を前記サーバに検索要求し、前記サーバは、前記音楽データを受信すると前記音楽データを基に予め登録された音楽特徴データを前記音楽検索データベースから検索することにより候補となる曲の音楽情報を信頼度順に抽出し、その抽出した前記候補となる曲の音楽情報を前記接続端末に返信することを特徴としている。（形態７）
【発明の効果】
【００２３】
本発明は、普段何気なく、身の周りに音楽はあふれているが、ある時、気に入った音楽が耳に飛び込んできたときに、そのタイトルやアーティストについて知りたいと思うユーザの欲求を解決する上で本発明の効果は類著である。
【００２４】
その理由は、常時携帯できる携帯端末を利用して、その場で音楽を録音し、録音した音楽データを送ることで録音した音楽情報を入手するようにしているため、瞬時にその場で曲名等の音楽情報を知ることができ、更に、その音楽の試聴および購入することもできるため、ユーザの気に入った音楽を容易に入手できるようになるからである。
【発明を実施するための最良の形態】
【００２５】
図１を参照すると、本発明の第１の実施の形態は、ユーザ携帯端末１００と、音楽検索を行う音楽検索サーバ３００と、これらを接続するインターネット等の通信ネットワーク２００と、音楽検索サーバ３００に接続された音楽検索データベース４００と、音楽検索サーバ３００に接続された音楽情報データベース５００と、音楽検索サーバ３００に接続されたホームページテンプレートデータベース６００とから構成されている。なお、音楽検索サーバ３００は、検索のために、音楽検索データベース４００および音楽情報データベース５００にアクセスする。
【００２６】
ユーザ携帯端末１００は、携帯電話、携帯可能なパーソナルコンピュータ等の常時身につけておくことができるもので、音楽録音機能を有しているものである。この場合の音楽録音機能は、録音する音楽をＰＣＭ（Ｐｕｌｓｅ  Ｃｏｄｅ  Ｍｏｄｕｌａｔｉｏｎ），ＭＰ３（ＭＰＥＧ  Ａｕｄｉｏ  Ｌａｙｅｒ  ３）等のデータ形式の音楽データに変換し、図示していない記憶部（不揮発性のメモリであって、例えば、フラッシュメモリ）に記憶する。また、本実施の形態例のユーザ携帯端末１００は、図示していないプロセッサによりプログラム制御で動作し、それ自身または付属の機器を接続することによって、通信ネットワーク２００に接続する。
【００２７】
音楽検索サーバ３００は、サービスの提供者によって準備され、プロセッサによりプログラム制御で動作するワークステーションサーバ等の情報処理装置によって構成される。音楽検索サーバ３００は、ユーザがユーザ携帯端末１００で録音した音楽データサンプルを受け取り、受け取った音楽データサンプルから音楽特徴を抽出し、音楽検索データベース４００の登録されている音楽特徴データと照合し、ユーザの問い合わせに最も合致する音楽ＩＤを検索した後、検索された音楽ＩＤから音楽情報データベース５００にアクセスしてユーザがユーザ携帯端末１００を用いて録音した音楽についての情報をユーザ携帯端末１００へ送信する機能を有している。
【００２８】
音楽検索データベース４００は、音楽検索サーバ３００によって利用され、音楽検索サーバ３００がユーザから送られてきた録音音楽データを用いて音楽を検索するのに必要な音楽特徴データと音楽を一意に特定できる音楽ＩＤを保持する。なお、音楽検索データベース４００は、読出し書き込みのできる不揮発性の記録媒体装置（例えば、磁気ディスク装置）上に実現され、その記録媒体装置内のエリアに割り付けられている。
【００２９】
音楽情報データベース５００は、曲名、レコード会社名、アーティスト名、試聴用サンプル音楽データ、ダウンロード販売用音楽データ等の音楽に関連した情報を保持するデータベースであり、音楽ＩＤにより一意に管理される。音楽検索サーバ３００が音楽検索データベース４００からユーザの録音データに合致すると思われるものを検索し、音楽ＩＤを得た後、その音楽ＩＤを用いて音楽の詳しい情報を音楽情報データベース５００から取り出す。なお、音楽情報データベース５００は、読出し書き込みのできる不揮発性の記録媒体装置（例えば、磁気ディスク）に記録され、その記録媒体装置内のエリアに割り付けられている。なお、音楽情報データベース５００の音楽情報は、音楽ＩＤ毎に、音楽ＩＤ、曲名、作曲者名、アーティスト名、ＣＤアルバム名、ＣＤ番号、レコード会社名、試聴用サンプル音楽データ（ＭＰ３等）、ダウンロード販売用音楽データ、歌詞データ、ダウンロード価格、歌詞ダウンロード価格、ＣＤシングル購入価格、ＣＤアルバムの購入価格（複数ある場合は複数）等を含んでいる。
【００３０】
ホームページテンプレートデータベース６００は、ユーザ携帯端末１００の画面に表示するホームページのトップの画面情報、メニュー画面情報、音楽検索入力画面情報、検索結果画面フォーマット（例えば、図３のように結果を入力するような共通フォーマット）を含む各種画面情報を保存している。
【００３１】
図８を参照すると、ユーザ携帯端末１００から録音した音楽データを音楽検索サーバ３００が受信した場合の音楽検索サーバ内の機能ブロックの構成を示したブロック図であって、制御部３１０と、記憶部３２０とから構成される。
【００３２】
制御部３１０は、プロセッサによりプログラム制御で動作し、音楽データ適合部３１１と、音楽特徴抽出部３１２と、音符検索部３１３と、検索結果作成部３１４と、検索結果加工部３１５とを含んでいる。
【００３３】
記憶部３２０は、読み出し書き込みのできるメモリであって、音楽データエリア３２１と、音楽特徴データエリア３２２と、照合結果テーブル３２３と、検索結果テーブル３２４とのエリアを割り当てている。
【００３４】
音楽データエリア３２１は、音楽検索の要求のあった音楽データを一時的に保存するワークエリアである。音楽特徴データエリア３２２は、音楽データエリアから音楽特徴を抽出したデータを一時的に保存するワークエリアである。照合結果テーブル３２３は、抽出した音楽特徴に対するそれぞれに音楽ＩＤ、信頼度（ヒット率）を保存するワーク用のテーブルであって、音楽検索の要求がある毎に作成される。検索結果テーブル３２４は、信頼度の高い順に、音楽ＩＤと曲名と作曲者名とアーティスト名と信頼度とを保存するワーク用のテーブルである。
【００３５】
音楽データ適合部３１１は、音楽検索サーバ３００が受信した音楽データが圧縮データであれば、解凍して音楽データエリア３２１に保存し、制御を音楽特徴抽出部３１２に渡す。この場合の解凍された音楽データは、音楽特徴抽出可能なデータ形式になっている。なお、解凍した後のデータ形式が音楽特徴抽出可能な形式でなければ、変換して音楽データエリア３２１に保存する。受信した音楽データが圧縮されたデータでない場合で、特徴抽出可能なデータ形式でなければ、音楽特徴抽出可能なデータ形式に変換して記憶部３２０の音楽データエリア３２１に保存し、制御を音楽特徴抽出部３１２に渡す。受信した音楽データが圧縮されたデータでない場合で、音楽特徴抽出可能なデータ形式であれば、受信した音楽データを音楽データエリア３２１に保存し、制御を音楽特徴抽出部３１２に渡す。
【００３６】
次に、図１、図２、図３を参照して、本第１の実施の形態の動作について説明する。
ユーザは、携帯電話などの常に携帯することができるユーザ携帯端末１００を常時携帯している。ユーザが街中を歩いているときなどに商店やテレビ、ラジオなどから流れる音楽に興味があり、その音楽について詳細な情報を得たいと思ったとき、携帯しているユーザ携帯端末１００を用いてその音楽を録音する。ここでは、音楽の全てを録音する必要はなく、ユーザ携帯端末１００に一部を録音することができる。
【００３７】
今、ユーザが、街中に流れている音楽の一部をユーザ携帯端末１００に搭載されているマイク（図示していない）を通じてユーザ携帯端末１００は、ＰＣＭ、ＭＰ３等のデータ形式で録音し、必要があれば更にデータ圧縮し、端末内の図示していない記憶部に録音した音楽データを保存する（ステップＳ１）。
【００３８】
ユーザは、ユーザ携帯端末１００の操作キーを利用して、ユーザ端末１００から通信ネットワーク２００を介して音楽検索サーバ３００にアクセスする。すると、音楽検索サーバ３００は、ユーザ携帯端末１００からのアクセスがあると、ホームページテンプレートデータベース６００からメニュー画面情報を読み出し、通信ネットワーク２００を介してユーザ携帯端末１００に送信することにより、ユーザ携帯端末１００の画面にホームページのメニュー画面を表示させる。ユーザがメニュー画面から音楽検索サービスを選択すると、ユーザ携帯端末１００は、音楽検索サービスを選択した情報を通信ネットワーク２００を介して音楽検索サーバ３００に送信する。音楽検索サーバ３００は、音楽検索サービスの選択情報を受信すると、録音した音楽のアップロードを要求するために、ホームページテンプレートデータベース６００から音楽検索入力画面情報を読み出し、通信ネットワーク２００を介してユーザ携帯端末１００に送信する。ユーザ携帯端末１００は、画面に音楽検索入力画面を表示する。ユーザが音楽検索入力画面に必要な情報（例えば、アップロードするファイルの場所、ファイル名等）を入力または選択すると、ユーザ携帯端末１００は、通信ネットワーク２００を介して録音した音楽を音楽検索サーバ３００へアップロードする（ステップＳ２）。
【００３９】
音楽検索サーバ３００は、ユーザが録音した音楽データを受け取る（ステップＳ３）。更に、音楽検索サーバ３００は、受け取った音楽データを音楽検索データベース４００を参照して、ユーザが録音した音楽に対して予め決められた信頼度以上で合致する音楽の音楽ＩＤを探し出す（ステップＳ４）。次に音楽検索サーバ３００は、検索した音楽ＩＤから音楽情報データベース５００を利用して、曲名、アーティスト名、レコード会社名といったユーザの録音した音楽に関する情報（検索結果）を取り出し（ステップＳ５）、音楽情報をユーザ携帯端末１００に送るためにホームページテンプレートデータベース６００から読み出した検索結果画面情報フォーマットに検索結果を付加することで加工し（ステップＳ６）、更に、ユーザのユーザ携帯端末１００へ送信する（ステップＳ７）。
【００４０】
ユーザ携帯端末１００は、ユーザが録音した音楽についての情報（検索結果）を、音楽検索サーバ３００から通信ネットワーク２００を介して受け取り（ステップＳ８）、画面に表示する（ステップＳ９）。
【００４１】
このようにして、ユーザは、ユーザ携帯端末１００の画面に表示された内容から、音楽検索サーバ３００に問い合わせた録音音楽についての情報（検索結果）を手に入れることができる。この場合のユーザ携帯端末１００が画面に表示する検索結果の表示例を図３に示す。
【００４２】
すなわち、ステップＳ５〜Ｓ７において、音楽検索サーバ３００が音楽情報データベース５００から音楽ＩＤ毎に該当する曲名と作曲名と作詞名とを読み出し、更に、ホームページテンプレートデータベース６００から検索結果表示のフォーマットを読み出し、先ほど読み出した情報と信頼度とを含めた検索結果を挿入することにより検索結果画像情報として加工し、この加工した検索結果画像情報を通信ネットワーク２００を介してユーザ携帯端末１００に送信する。
【００４３】
次に、ステップＳ３〜ステップＳ７までの処理について、更に詳しく図６を参照して説明する。
【００４４】
音楽検索サーバ３００が、音楽データを受信すると、制御部３１０に制御を渡し、制御を渡された制御部３１０は、音楽データ適合部３１１に制御を渡す。制御を渡された音楽データ適合部３１１は、必要があれば圧縮データを解凍し、録音された音楽が音楽特徴抽出可能なデータ形式でなければ抽出可能なデータ形式へ変換した後、音楽データを記憶部３２０の音楽データエリア３２１に格納し、制御を音楽特徴抽出部３１２に制御を渡す。
【００４５】
制御を渡された音楽特徴抽出部３１２は、音楽データエリア３２１に格納されているデータを検索することにより、リズムパターン、メロディパターン、テンポパターン、音高パターン、音長パターンといった音楽特徴を抽出する。この場合の抽出方法の例を説明すると、音楽データエリア３２１に格納されている音楽データが休符を含む音符で構成されている場合、休符をデリミッタとして分割することで１つの文字とし、音高（音符の音の高さを数値で表示するため、１つの文字は、複数の数値で構成）および音長（音長は、休符を境にして０スタートとし、音符の位置の長さを数値で示すため、１つの文字は複数の数値で構成）毎に、文字列（音高および音長毎に１つの文字列を形成する）がパターンとして作成される。このようにして、音楽特徴抽出部３１２は、録音された音楽の音楽特徴を抽出すると、記憶部３２０の音楽特徴データエリア３２２に格納し、制御を音楽検索部３１３に渡す。
【００４６】
一方、音楽検索データベース４００には、音楽ＩＤとそれに対応する音楽特徴情報が形成されている。従って、音楽特徴抽出部３１２から制御を渡された音楽検索部３１３は、音楽特徴データエリア３２２に格納されている音楽特徴を読み出し、読み出した音楽特徴に基づいて音楽検索データベース４００の検索を開始する。例として、図７に示すように、音高パターンおよび音長パターンを音楽特徴とした場合、音楽検索データベース４００を検索しながら音高パターンおよび音長パターンがヒットする割合（文字列の中にいくつマッチングしたかどうかの比率）をそれぞれ算出し、信頼度を求める。音楽特徴の統計的なデータを基に検索する方法も考えられる。なお、音楽検索部３１３は、予め決められた信頼度以下であれば無視する。音楽特徴に対する音楽ＩＤの検索が終了すると、信頼度の高いものから順に並べかえることで照合結果テーブル３２３を編集し、結果数が多い場合は信頼度の高いものからあらかじめ設定した最大数までを残し、それを越えた部分については削除して、制御を検索結果作成部３１４に渡す。
【００４７】
制御を渡された検索結果作成部３１４は、照合結果テーブル３２３に保存されている音楽ＩＤを基に、音楽情報データベース５００を検索し、音楽ＩＤに該当する曲名、作曲者名、アーティスト名等の音楽情報を音楽情報データベース５００から読み出して検索結果テーブル３２４に書き込むと共に、その時の信頼度を照合結果テーブル３２３から読み出し、検索結果テーブル３２４に書き込む。照合結果テーブル３２３に抽出された全ての音楽ＩＤに対する音楽情報データベース５００への検索処理が終了すると、検索結果作成部３１４は、ユーザ携帯端末１００へ送るために、制御を検索結果加工部３１５に制御を渡す。
【００４８】
制御を渡された検索結果加工部３１５は、ホームページテンプレートデータベース６００から検索結果画面フォーマットを読み出し、読み出したフォーマットに、検索結果テーブル３２４に格納されたデータを付加することで検索結果画面情報として、制御部３１０に制御を渡す。渡された制御部３１０は、要求のあった携帯端末１００に検索結果画面情報を送信する。
【００４９】
すなわち、音楽検索サーバ３００の制御部３１０は、録音した音楽データを基に、音楽検索データベース４００と音楽情報データベース５００とを検索することにより、信頼度順に候補となる曲毎の音楽情報を検索し、その検索して得た検索結果を携帯端末１００に送信することになる。
【００５０】
なお、上記の信頼度を求める説明において、信頼度を検出するやり方は、いろいろ考えられる。音楽検索データベース５００は、まず、検索対象となる音楽の音楽特徴抽出をあらかじめ行い、抽出された音楽特徴をインデックスとするデータベースとして用意される。音楽検索サーバ３００の制御部３１０は、録音された音楽を受け取った後、受け取った音楽の音楽特徴抽出を行い、その音楽特徴をキーとして音楽検索データベース５００から検索を行う。たとえば、録音された音楽データの音楽特徴が１０個のパターンとして抽出された場合、その１０個のパターンが全て含まれる音楽については信頼度１００％、８個の場合は信頼度８０％のように判断する方法や、予め決められた長さの文字列になるようにパターンを抽出し、マッチした文字数によって信頼度を決める方法等、様々な方法が考えられる。
【００５１】
なお、上記説明において、ユーザ携帯端末１００から音楽検索サーバ３００に対して録音した音楽データを全てアップロードする必要はなく、録音した音楽データの一部分をアップロードするようにしても良い。この場合、録音した音楽データを全部送信するやり方より送信時間が短縮される。ただし、録音時間が短くなると、抽出できる音楽特徴が少なくなってしまうため、検索精度が低くなるので、録音は十分に特徴抽出できる程度の長さである必要がある。
【００５２】
次に、本発明の第２の実施の形態について、図面を参照して説明する。
本発明の第２の実施の形態は、第１の実施の形態で示すブロック図と同じ構成を示し、音楽検索サーバ３００が検索結果に関連する動作を付加した点で第１の実施の形態と相違する。
【００５３】
すなわち、ホームページテンプレートデータベース６００は、第１の実施の形態で示すユーザ携帯端末１の画面に表示するホームページのトップの画面情報、検索結果画面フォーマット（例えば、図３のように結果を入力するような共通フォーマット）の他に、曲名に対応する音楽情報画面フォーマット（例えば、図４のように結果を入力するような共通フォーマット）、購入画面フォーマット（例えば、図５のように結果を入力するような共通フォーマット）を含む各種画面情報を保存している点で第１の実施の形態と相違する。
【００５４】
次に、図１〜図５を参照して、本発明の第２の実施の形態の動作について説明する。なお、第１の実施の形態のステップＳ１〜Ｓ９までの動作と同じなので説明を省略する。
ユーザ携帯端末１００の画面に表示された検索結果から曲名が選択するようになっている。ここで曲名１が選択されると、ユーザ携帯端末１００は、選択した曲名である音楽ＩＤの音楽情報要求（音楽ＩＤについて情報を要求ができるハイパーリンクになっており、画面上からは隠されている）を通信ネットワーク２００を介して音楽検索サーバ３００に送信する。
【００５５】
音楽検索サーバ３００は、音楽ＩＤを基に、音楽情報データベース５００を検索し、該当する音楽ＩＤからアーティスト名、音楽タイトル、ＣＤアルバム名、ＣＤ番号、レコード会社名を読み出すと共に、ホームページテンプレートデータベース６００から音楽情報画面情報フォーマットを読み出す。更に、音楽検索サーバ３００は、音楽情報画面情報フォーマットに読み出した音楽情報を付加することで加工し、加工した音楽情報画面情報を通信ネットワーク２００を介してユーザ携帯端末１００に送信する。ユーザ携帯端末１００は、音楽情報画面情報を受信すると、画面に音楽情報を表示する。
【００５６】
ユーザは、音楽検索サーバ３００に問い合わせた録音音楽データについての情報をユーザ携帯端末１００で確認することができる。すなわち、ユーザ携帯端末１００に表示される内容は、図３で示した例のように、検索結果が表示され、検索結果の曲を選択することで、図４のように曲の詳細な情報が表示され、また、当該曲の試聴、購入が通信ネットワーク２００を介してできるようになる。
【００５７】
更に、ユーザは、図４のような音楽結果による音楽情報から音楽の試聴または購入をユーザ携帯端末１００の画面上で選択する。ユーザが試聴を選択した場合、ユーザ携帯端末１００から選択された音楽の試聴要求が通信ネットワーク２００を介して音楽検索サーバ３００に送信される。音楽検索サーバ３００は、希望する音楽の試聴要求を受信すると、音楽ＩＤを基に音楽情報データベース５００を検索し、該当する音楽ＩＤの試聴用の音楽（例えば、ＭＰ３データ）をユーザ端末１００へ送信する。ユーザ携帯端末１００は、試聴用音楽データを受信すると、記憶部に記憶する。ユーザが、再生ソフトを立ち上げ、ダウンロードした試聴用の音楽を指定すると、ユーザ携帯端末１００は、試聴のための音楽を記憶部から読み出し、再生する。すなわち、ユーザは、ユーザ携帯端末１００で試聴のための音楽を再生することができる。
【００５８】
ユーザがユーザ携帯端末１００の図４の画面上で購入を選択した場合、図５のように検索した音楽に関する商品一覧がユーザ端末１００の画面に表示され、購入したい商品を選択することで商品を通信ネットワーク２００を介して購入できる。
【００５９】
すなわち、ユーザ携帯端末１００が音楽の購入要求を通信ネットワーク２００を介して音楽検索サーバ３００へ送信する。音楽検索サーバ３００は、希望する音楽の購入要求を受信すると、音楽ＩＤを基に音楽情報データベース５００を検索し、該当する音楽ＩＤの購入情報（ＭＰ３ダウンロード、歌詞ダウンロード、ＣＤシングル購入、アルバム購入情報のそれぞれの購入価格情報）を読み出すと共に、ホームページテンプレートデータベース６００から購入情報画面情報フォーマットを読み出す。更に、音楽検索サーバ３００は、購入情報画面情報フォーマットに読み出した購入情報を付加することで加工し、加工した音楽情報画面情報をユーザ端末１００に送信する。ユーザ携帯端末１００は、購入情報画面情報を受信すると、画面に図５で示す購入情報を表示する。
【００６０】
なお、図５を参照すると、音楽のダウンロード販売、歌詞の販売に関しては、ユーザ携帯端末１００の画面上から選択してオンラインですぐにユーザ携帯端末１００にダウンロードすることで、ユーザ携帯端末１００で利用できるものと、ユーザ携帯端末１００の画面上から選択してＣＤ販売のように物品をユーザに後日宅配便等で届けるものの２通りの販売形態がある。
【００６１】
次に、本発明の第３の実施の形態について、図面を参照して説明する。
ユーザ携帯端末が通信機能を有していない場合、または、通信機能を拡張することができない場合について図８を用いて説明する。
図８を参照すると、本発明の第３の実施の形態は、通信機能を持たないユーザ携帯端末１０１を接続端末１１０に接続（例えば、ＵＳＢ、無線等で接続）し、その接続端末１１０を通信ネットワーク２００に接続している点が、通信機能を持つユーザ携帯端末１００を通信ネットワーク２００に接続している第１および第２の実施の形態と相違している。
【００６２】
ユーザ携帯端末１０１は、第１の実施の形態のユーザ携帯端末１００と同じように音楽の録音機能を有する。従って、録音した音楽および試聴、購入する音楽のダウンロードは、接続端末１１０とユーザ携帯端末１０１との間で行われる。
すなわち、接続端末１１０とユーザ携帯端末１０１との間のインタフェースを除き、構成および動作は第１および第２の実施の形態と同じなので説明を省略する。
【００６３】
次に、本発明の第４の実施の形態について、図面を参照して説明する。
ユーザ携帯端末が通信機能を有していない場合、かつ、通信機能を拡張することができない場合について図９を用いて説明する。
図９を参照すると、本発明の第４の実施の形態は、通信ネットワーク２００に接続された接続端末１１１と、通信機能を持たないユーザ携帯端末１０２と、ユーザ携帯端末１０２および接続端末１１１に共通の取り外し可能なメディア１２０とを用いている点が、通信ネットワーク２００に接続している通信機能を持つユーザ携帯端末１００を用いた第１および第２の実施の形態と相違している。
【００６４】
ユーザ携帯端末１０１は、音楽データの録音をメディア１２０に書き込む。なお、メディア１２０は、不揮発性のメモリカードである。
【００６５】
接続端末１１１を用いて通信ネットワーク２００を介して音楽検索サーバ３００にアクセスする場合は、音楽データを書き込んだメディア１２０を差し込む。
すなわち、録音した音楽は、接続端末１１０とユーザ携帯端末１０１との間でメディア１２０を介して行われる。接続端末１１０が音楽の検索要求、ダウンロード等をおこなう。従って、接続端末１１０とユーザ携帯端末１０１との間のインタフェースがメディア１２０である点、接続端末１１０がユーザ携帯端末１００のかわりに音楽検索サーバ３００と通信をする点を除き、構成および動作は第１および第２の実施の形態と同じなので説明を省略する。
【００６６】
第４の実施の形態に示すように、ユーザ携帯端末１０２で音楽を取り外しのできるメディア１２０に録音記録させ、通信ネットワーク２００に接続可能な接続端末１１１に取り付けることで録音された音楽にアクセスできるようになり、接続端末１１１は、ユーザ携帯端末１０１で録音された音楽データを通信ネットワーク２００を介して音楽検索サーバ３００へアクセスすることができる。
【００６７】
なお、上記の第１〜第４の実施の形態において、ユーザ携帯端末１００，１０１，１０２が、録音する音楽データを保存する場合の音楽データ形式としてＰＣＭ，  ＭＰ３  を例にしたが、他の形式（例えば、ＷＡＶ，Ｇ．７１１，Ｇ．７２２，Ｇ．７２８，Ｇ．７２９，ＡＤＰＣＭ，ＶＳＥＬＰ，ＣＳ−ＣＥＬＰ，ＬＤ−ＣＥＬＰ，ＲＰＥ−ＬＴＰ，ＰＳＩ−ＣＥＬＰ，ＷＭＡ形式）にして保存するようにしても、サーバ３００の音楽データ適合部３１１で音楽特徴抽出できるファイル形式に対応するように変換すれば良いことは言うまでもない。
【００６８】
また、上記の第１〜第４の実施の形態において、通信ネットワーク２００を介して、音楽検索サーバ３００に接続するようになっているが、この接続方法として、以下の方法があるが、全て本発明に含まれることは言うまでもない。すなわち、無線網、電話回線網を介して、インターネットサービスプロバイダに接続し、更に、インターネットサービスプロバイダ（プロバイダが管理している管理サーバ）経由で音楽検索サーバに接続する方法、  無線網、電話回線網を介して、インターネットサービスプロバイダ自身がサービスを行っている音楽検索サーバに接続する方法、無線網を介して携帯電話会社（例えば、ＮＴＴドコモ、Ｊ−ｐｈｏｎｅ、ＫＤＤＩ）の管理サーバに接続し、その管理サーバを経由して音楽検索サーバに接続する方法（例えば、ＮＴＴドコモのｉ−ｍｏｄｅ（登録商標）、Ｊ−ｐｈｏｎｅ、ＫＤＤＩのＷＡＰ）等があるが、本発明における通信ネットワーク２００は音楽検索サーバ３００に接続するまでの上述の通信手段を含むことは言うまでもない。
【００６９】
以上説明したように、ユーザは、身の回りに流れている気になった音楽をユーザの携帯端末に録音し、通信ネットワークを介して、音楽検索サーバにアクセスし、録音した音楽をアップロードすると、音楽検索サーバは、検索結果をユーザの携帯端末に送るようにしているため、ユーザは問い合わせた音楽についての情報を得ることができる。更に、携帯端末の画面に音楽結果を表示するようにしているため、その画面から試聴、購入を行うことができる。
【図面の簡単な説明】
【００７０】
【図１】本発明の第１または第２の実施の形態を示すシステムのブロック図である。
【図２】図１の各装置間での音楽検索要求が行われた場合の動作を示すフローチャートを示す。
【図３】図１のユーザ携帯端末の画面上に表示される検索結果の内容を示す構成例である。
【図４】図１のユーザ携帯端末の画面上に表示されるある曲名の音楽情報の内容を示す構成例である。
【図５】図１のユーザ携帯端末の画面上に表示されるある曲名の購入情報の内容を示す構成例である。
【図６】図１の音楽検索サーバが検索要求の音楽データを受信した場合の音楽検索サーバの機能構成を示すブロック図である。
【図７】図６の音高・音長抽出部の音高パターンおよび音長パターンの検出率の求め方を示した概略図である。
【図８】本発明の第３の実施の形態を示すシステムのブロック図である。
【図９】本発明の第４の実施の形態を示すシステムのブロック図である。
【符号の説明】
【００７１】
１００，１０１，１０２    ユーザ携帯端末
１１０，１１１    接続端末
１２０    メディア
２００    通信ネットワーク
３００    音楽検索サーバ
３１０    制御部
３１１    音楽データ適合部
３１２    音楽特徴抽出部
３１３    音楽検索部
３１４    検索結果作成部
３１５    検索結果加工部
３２０    記憶部
３２１    音楽データエリア
３２２    音楽特徴データエリア
３２３    照合結果テーブル
３２４    検索結果テーブル
４００    音楽検索データベース
５００    音楽情報データベース
６００    ホームページテンプレートデータベース
【図１】
2008123546.tif 000003
【図２】
2008123546.tif 000004
【図３】
2008123546.tif 000005
【図４】
2008123546.tif 000006
【図５】
2008123546.tif 000007
【図６】
2008123546.tif 000008
【図７】
2008123546.tif 000009
【図８】
2008123546.tif 000010
【図９】
2008123546.tif 000011